(57)【要約】      （修正有）【課題】弁体入口の開状態を保持することができる、弁体の位置決め構造を提供する。【解決手段】ケース体１０と、接触部品２０と、作動部品３０と、弁体４０と、スイッチ４４とからなる。ケース体１０には、弁体４０が設けられる。接触部品２０及び作動部品３０は、ケース体１０の上側及び下側にそれぞれ可動に設けられるとともに互いに結合し、且つ接触部品２０が作動部品３０を連動させる。作動部品３０には、作用部３２が設けられ、作用部３２は、作動部品３０が接触部品２０に連動された時、スイッチ４４の方へ動いてスイッチ４４を押さえる。スイッチ４４は、弁体４０を押さえることにより、流体が弁体４０の入口を自由に出入りするとともに、少なくとも一つの袋体に出入りするように制御する。【選択図】図２
0003188064.tif 000002
【実用新案登録請求の範囲】
【請求項１】
ケース体と、接触部品と、作動部品と、弁体と、スイッチとからなる、弁体の位置決め構造であって、
前記ケース体には、前記弁体が設けられ、
前記接触部品及び前記作動部品は、前記ケース体の上側及び下側にそれぞれ可動に設けられるとともに互いに結合し、且つ前記接触部品に前記作動部品が連動し、
前記作動部品には、さらに作用部が設けられ、
前記作用部は、前記接触部品に前記作動部品が連動するのに合わせて、前記スイッチの方へ動いて前記スイッチを押さえ、
前記スイッチは、前記弁体を押さえて、流体を前記弁体の入口から自由に出入りさせるとともに少なくとも一つの袋体に出入りさせるように制御することを特徴とする、弁体の位置決め構造。
【請求項２】
前記ケース体には、開口が設けられて、前記スイッチが前記開口から前記ケース体の外部に露出することを特徴とする、請求項１に記載の弁体の位置決め構造。
【請求項３】
前記ケース体には、さらに所定の長さの誘導孔が設けられ、
前記接触部品には、さらに前記誘導孔と対応した結合体が設けられ、
前記結合体は、前記誘導孔に穿設されるとともに、前記誘導孔中を移動し、
前記作動部品は、前記結合体によって前記接触部品と結合するとともに、前記作動部品は前記接触部品に連動して前記誘導孔に従って前記スイッチの方へ移動することを特徴とする、請求項１に記載の弁体の位置決め構造。
【請求項４】
前記ケース体には、さらに二つの所定の長さを有する穿孔が設けられ、
前記接触部品には、さらに前記穿孔と対応した誘導体が設けられ、
前記誘導体は、前記穿孔に穿設されるとともに、前記穿孔中を移動することを特徴とする、請求項１に記載の弁体の位置決め構造。
【請求項５】
前記接触部品表面には、さらに指で触圧される複数の突部が設けられることを特徴とする、請求項１に記載の弁体の位置決め構造。
【請求項６】
前記接触部品表面には、さらに指を押止する押止部が設けられることを特徴とする、請求項１に記載の弁体の位置決め構造。
【請求項７】
前記作動部品の作用部は、Ｃ字型をなすとともに、その二端の下部に圧迫部が設けられ、
前記圧迫部は、下平面と、下平面と連接した斜面とからなり、
前記作動部品は、前記スイッチの方へ移動する時、前記圧迫部の斜面が前記スイッチとの接触による抵抗力を分散消失させることにより、前記圧迫部の斜面・下平面が前記スイッチの上方へ乗り上げて前記スイッチを押さえることを特徴とする、請求項１に記載の弁体の位置決め構造。
【請求項８】
前記作動部品の作用部は、Ｃ字型をなすとともに、その二端にそれぞれ突縁が設けられて、前記作動部品がスイッチの方へ移動する時に制限作用を生じることを特徴とする、請求項１に記載の弁体の位置決め構造。
【請求項９】
前記接触部品は、軸状の結合体によってケース体に可動に枢設され、
前記接触部品及び前記作動部品は、前記結合体によって結合され、
前記接触部品の回転に合わせて、前記作動部品が連動して回転することを特徴とする、請求項１に記載の弁体の位置決め構造。
【請求項１０】
前記作用部は、作動部品下方に設けられるとともに、突弧面状をなし、
前記作動部品は、スイッチの方へ回転する時、前記作用部の弧面がスイッチとの接触による抵抗力を分散消失させることにより、前記作用部が前記スイッチの上方へ乗り上げて前記スイッチを押さえることを特徴とする、請求項9に記載の弁体の位置決め構造。
【考案の詳細な説明】
【技術分野】
【０００１】
本考案は、弁体の位置決め構造に関し、特に外的作用力が消失した後も、弁体のスイッチを押さえ続けて弁体の入口の開状態を保持し続けるとともに、流体を定量且つ安定して、弁体に制御された袋体へ流入、或いは袋体から排出させることができる、弁体の位置決め構造に関する。
【背景技術】
【０００２】
一般的な空気注入・空気逃がしが可能なエアパッド体には、通常、弁体が連接され、弁体はスイッチを有している。使用時には、スイッチを押さえるかどうかによって弁体内の気室弁口の開閉を制御するとともに、弁体によってエアパッド体内の気体の吸気、及び空気逃がしを制御することができる。
【０００３】
しかし、使用者が弁体を操作する時、通常は手で弁体のスイッチを押さえ続けることにより、弁体の入口の開状態を保持して、気体を弁体から流入、或いは排出させなければならない。以上の操作は、使用者の手が疲れやすいだけでなく、手の感覚によって弁体のスイッチを制御するため、制御動作が不確実且つ不安定である。よって、気体を定量且つ安定して、エアパッド体へ流入、或いはエアパッド体から排出させることができない。
【考案の概要】
【考案が解決しようとする課題】
【０００４】
そこで、本考案は、弁体のスイッチを押さえ続けて弁体入口の開状態を保持することができる、弁体の位置決め構造を提供することを目的とする。
【課題を解決するための手段】
【０００５】
上述の目的を達成するため、本考案は、ケース体と、接触部品と、作動部品と、弁体と、スイッチとからなる。前記ケース体には、前記弁体が設けられる。前記接触部品及び前記作動部品は、前記ケース体の上側及び下側にそれぞれ可動に設けられるとともに互いに結合し、且つ前記接触部品に前記作動部品が連動する。前記作動部品には、さらに作用部が設けられ、前記作用部は、前記接触部品に前記作動部品が連動するのに合わせて、前記スイッチの方へ動いて前記スイッチを押さえる。前記スイッチは、前記弁体を押さえて、流体を前記弁体の入口から自由に出入りさせるとともに少なくとも一つの袋体に出入りさせるように制御する。
【考案の効果】
【０００６】
以上の構造によって、使用者が手で弁体のスイッチを押さえ続けずとも、弁体の入口の開状態を保持するとともに、流体を定量且つ安定して袋体へ流入、或いは袋体から排出させることができる。
【図面の簡単な説明】
【０００７】
【図１】本考案の斜視図である。
【図２】本考案の斜視分解図である。
【図３】本考案における接触部品の移動を示した上面図である。
【図４】本考案におけるケース体の内部構造を示した上面図である。
【図５】本考案における作動部品の移動、及びケース体の内部構造を示した上面図である。
【図６】本考案の断面図である。
【図７】本考案の使用実施例の断面図である。
【図８】本考案と袋体が連接された使用実施例の概略図である。
【図９】本考案の実施例２の構造を示した斜視分解図である。
【図１０】本考案の実施例２の構造における作動部品の移動、及びケース体の内部構造を示した上面図である。
【図１１】本考案の実施例３の構造を示した斜視分解図である。
【図１２】本考案の実施例４の構造を示した斜視分解図である。
【図１３】本考案の実施例４の構造における作動部品の回転、及びケース体の内部構造を示した上面図である。
【考案を実施するための形態】
【０００８】
図２、図６、図８を参照する。一般的な弁体４０は、流体室４１と、入口４２と、出口４３が互いに連通して設けられるとともに、出口４３は導管５０と連結され、導管５０は複数の袋体６０と連結される。以上の構造によって、弁体４０が袋体６０中の流体の出入りを制御する。また、スイッチ４４の一部は流体室４１内に設けられ、スイッチ４４のもう一部は入口４２に穿設されるとともに上端が弁体４０表面の外部に露出するため、使用者が手でスイッチ４４を押さえることができる。また、弾性体４５はスイッチ４４下方に設けられるとともに、上方への弾性によってスイッチ４４を圧止して、スイッチ４４に入口４２を封閉させる。スイッチ４４を押圧した時、入口４２が開くとともに、弾性体４５が圧縮されてスイッチ４４が元に戻るための弾性力を蓄える。スイッチ４４を押圧する力が消失した時、弾性体４５の弾性力によって、スイッチ４４が再び入口４２を封閉する。
【０００９】
（実施例１）
図１、図２を参照する。本考案の実施例は、ケース体１０と、ケース体１０に可動に設けられた接触部品２０及び作動部品３０と、ケース体１０に設けられた弁体４０とからなる。接触部品２０を押して、これに連動した作動部品３０がスイッチ４４の方へ移動してスイッチ４４を押さえ続けることにより、弁体４０の入口４２の開状態を保持するとともに、流体を定量且つ安定して弁体４０から流入、或いは排出させる。
【００１０】
図２、図３、図４、図６を参照する。本考案のケース体１０は、上殼・下殼が組み合わされてなるとともに、内部に弁体４０が設けられる。ケース体１０には、さらに開口１１が設けられ、開口１１からスイッチ４４上部がケース体１０の外部に露出する。これにより、ケース体１０は、弁体４０を保護・美化するとともに、使用者が手で持って簡便にスイッチ４４を押すことができる。ケース体１０上部表面には、所定の長さの誘導孔１２が設けられ、誘導孔１２の両側には、所定の長さを備えた二つの穿孔１３が設けられる。誘導孔１２・穿孔１３は、接触部品２０が移動するための軌道であるとともに、接触部品２０の移動距離を制限する。
【００１１】
接触部品２０は、下部表面がケース体１０上部に貼設されるとともに、接触部品２０下部にそれぞれ誘導孔１２・穿孔１３に対応した結合体２１・二つの誘導体２２が設けられる。結合体２１・誘導体２２は、それぞれ誘導孔１２・穿孔１３に穿設されるとともに、その中を移動する。接触部品２０上部表面には、複数の突部２３、及び押止部２４が設けられ、突部２３は指で触圧した際の摩擦力を増加させ、押止部２４は指を押止する。これにより、指で接触部品２０を押し動かしやすくなる。
【００１２】
作動部品３０は、上部表面がケース体１０内表面の上部に貼設されるとともに、作動部品３０の一側に結合孔３１が設けられて結合体２１が嵌設される。これにより、接触部品２０・作動部品３０は、ケース体１０に設けられるとともに、誘導孔１２・穿孔１３に従って適切にスイッチ４４の方へ移動する。また、作動部品３０には、Ｃ字型の作用部３２が設けられ、作用部３２における二端の下部には、さらに圧迫部３２１が設けられる。圧迫部３２１は、上・下平面と、上・下平面間を連接する斜面とからなる。作動部品３０がスイッチ４４の方へ移動していない時、圧迫部３２１の上平面はスイッチ４４の環縁上方に位置し、作動部品３０がスイッチ４４の方へ移動した時、圧迫部３２１の下平面はスイッチ４４の環縁を押さえる。作用部３２は、Ｃ字型をなすとともに、その二端に突縁３２２が設けられる。よって、作動部品３０がスイッチ４４の方へ移動した時、作用部３２がスイッチ４４環縁の大部分を囲い込んで制限作用を生じるため、作動部品３０がスイッチ４４の方へ誤差や偏りなく移動することができる。
【００１３】
図３、図５、図７を参照する。本考案を使用する時、指で接触部品２０を触圧して押し動かすことにより、これに連動して作動部品３０が弁体４０のスイッチ４４の方へ移動する。また、作動部品３０は、移動中に圧迫部３２１の斜面がスイッチ４４環縁との接触による抵抗力を分散消失させることにより、圧迫部３２１の斜面・下平面が抵抗なく滑らかにスイッチ４４の環縁上方へ乗り上げてスイッチ４４を押さえる。これにより、使用者が指で弁体４０のスイッチ４４を押さえ続けずとも、弁体４０の入口４２の開状態を保持することができるとともに、流体を定量且つ安定して袋体６０へ流入、或いは袋体６０から排出させることができる（図８を参照）。
【００１４】
（実施例２）
図９、図１０を参照する。本考案において、弁体４０が二つの場合、作用部３２を二つ設けることにより、接触部品２０を押し動かした時に、作動部品３０が二つの弁体４０におけるスイッチ４４を合わせて押さえることができる。
【００１５】
（実施例３）
図１１を参照する。本考案において、弁体４０が三つの場合、作用部３２を三つ設けることにより、接触部品２０を押し動かした時に、作動部品３０が三つの弁体４０におけるスイッチ４４を合わせて押さえることができる。
【００１６】
（実施例４）
図１２、図１３を参照する。本考案の接触部品２０は、軸状の結合体２１によってケース体１０に枢設される。また、作動部品３０は、板体状をなすとともに、作用部３２が突弧面状をなして作動部品３０下方に設けられる。以上に基づき、接触部品２０を回転させることにより、これに連動して作動部品３０が回転する。作動部品３０は、回転中に作用部３２の弧面がスイッチ４４環縁との接触による抵抗力を分散消失させることにより、作用部３２が抵抗なく滑らかにスイッチ４４の環縁上方へ乗り上げてスイッチ４４を押さえる。
【符号の説明】
【００１７】
１０   ケース体
１１   開口
１２   誘導孔
１３   穿孔
２０   接触部品
２１   結合体
２２   誘導体
２３   突部
２４   押止部
３０   作動部品
３１   結合孔
３２   作用部
３２１ 圧迫部
３２２ 突縁
４０   弁体
４１   流体室
４２   入口
４３   出口
４４   スイッチ
４５   弾性体
５０   導管
６０   袋体
【図１】
0003188064.tif 000003
【図２】
0003188064.tif 000004
【図３】
0003188064.tif 000005
【図４】
0003188064.tif 000006
【図５】
0003188064.tif 000007
【図６】
0003188064.tif 000008
【図７】
0003188064.tif 000009
【図８】
0003188064.tif 000010
【図９】
0003188064.tif 000011
【図１０】
0003188064.tif 000012
【図１１】
0003188064.tif 000013
【図１２】
0003188064.tif 000014
【図１３】
0003188064.tif 000015